(57)【要約】【課題】ユーザにとって実際に有効な施設情報を自動的に特定して地図情報と共に表示するナビゲーション装置である。【解決手段】地図情報Ｍおよび施設情報Ｓを表示する表示制御手段５と、利用可能な施設のみを選択して表示を行わせる施設選択手段３と、施設に関連したユーザの嗜好あるいは特性についてのユーザ固有情報を保持するユーザ固有情報記憶手段７と、ある施設が選択されたとき、その施設に関連した前記ユーザ固有情報も満足する施設を特定する施設特定手段４と、から構成する。【選択図】      図１
2004340875.tif 000002
【特許請求の範囲】
【請求項１】
少なくとも地図情報および施設情報を取得してこれらを表示部に表示する表示制御手段と、取得した前記施設情報のうち利用可能な施設のみを選択して前記の表示を行わせる施設選択手段と、を備えるナビゲーション装置において、
前記施設に関連したユーザの嗜好あるいは特性についてのユーザ固有情報を保持するユーザ固有情報記憶手段と、
前記施設選択手段によってある施設が選択されたとき、その施設に関連して前記ユーザ固有情報記憶手段から読み出された前記ユーザ固有情報も満足する施設を、前記の利用可能な施設として特定する施設特定手段と、
をさらに備えることを特徴とするナビゲーション装置。
【請求項２】
前記表示制御手段は、前記施設選択手段によって選択された施設を、前記施設特定手段によって特定された施設と、特定されなかった施設とに区別して表示することを特徴とする請求項１に記載のナビゲーション装置。
【請求項３】
前記ユーザ固有情報記憶手段は、当該ナビゲーション装置内、またはナビゲーション装置外部に設けることを特徴とする請求項１に記載のナビゲーション装置。
【請求項４】
前記ユーザ固有情報には、前記嗜好としての好みのジャンルと、前記特性としてのジャンル毎の滞在時間と、を含むことを特徴とする請求項１に記載のナビゲーション装置。
【請求項５】
前記好みのジャンルが複数あるとき各該ジャンルに対する好みの程度に応じた優先順位を予め設定しておき、
前記施設特定手段により特定された施設が２以上あるとき、前記表示制御手段は、その優先順位に従って各該施設に番号付けした表示を行うことを特徴とする請求項４に記載のナビゲーション装置。
【請求項６】
前記ジャンル毎の滞在時間に基づく優先順位を予め設定しておき、
前記施設特定手段により特定された施設が２以上あるとき、前記表示制御手段は、当該ジャンルの滞在時間に基づく優先順位に従って各該施設に番号付けした表示を行うことを特徴とする請求項４に記載のナビゲーション装置。
【請求項７】
外部から配信される最新情報を取得し、前記各ジャンルに対する好みの程度に応じた優先順位を、該最新情報に基づく順位も加味して設定することを特徴とする請求項５に記載のナビゲーション装置。
【請求項８】
移動体の現在位置情報をもとに、前記施設特定手段により特定された施設への到着時刻を演算する演算手段を備え、その特定された施設が２以上あるとき、前記表示制御手段は、早く到着する順位に従って各該施設に番号付けした表示を行うことを特徴とする請求項１に記載のナビゲーション装置。
【発明の詳細な説明】
【０００１】
【発明が属する技術分野】
本発明はナビゲーション装置、特に地図上に表示された各施設がユーザにとって利用可能か否かをも示すことができるようにしたナビゲーション装置に関する。
【０００２】
【従来の技術】
ナビゲーション装置は例えば車両に搭載されて、自車を目的地まで経路案内する表示をユーザに提供するものである。
【０００３】
そして近年はかかる経路案内に止まらず、経路案内先の施設に関する詳細情報までもユーザに提供可能なナビゲーション装置が市販されている。例えば目的とする施設の営業時間までユーザに提示し、当該施設への到着時間も考慮した上で、無駄足とならないようにする、といったナビゲーションサービスも可能となっている。
【０００４】
なお本発明に関連する公知技術としては、下記の特許文献１〜５がある。しかしいずれの公知技術も、後述する説明から明らかになるとおり、「ユーザの固有情報をも加味して施設を案内する」という考え方に基づく本発明とは異なる。
【０００５】
ちなみに、特許文献１は営業時間内にある施設の情報のみを表示するもの、特許文献２は営業時間外である施設については表示部上でトーンダウンして表示するもの、特許文献３は営業状況に従って異なるシンボルを作成するもの、特許文献４は営業中の施設のみを表示部上でハイライト表示するもの、特許文献５は営業時間外の施設を表示部上で非表示とするものである。
【０００６】
【特許文献１】
特開平５−８１５９７号公報
【特許文献２】
特開平９−１３３３５４３号公報
【特許文献３】
特開平１０−４７９８０号公報
【特許文献４】
特開２０００−３２１０８２号公報
【特許文献５】
特開２００１−１６５６８０号公報
【０００７】
【発明が解決しようとする課題】
地図上に表示された施設がユーザにとって利用可能か否かといった情報までも併せて提供可能なナビゲーション装置は、上記特許文献１〜特許文献５に開示されるように周知であり、ユーザにとってはかなり便利なものとなっている。
【０００８】
しかしながら、施設情報を現在利用可能な施設に絞ってユーザに与えるとは言え、個々のユーザにとってはそこからさらに１つの施設に特定していく、という作業が続くため、ナビゲーションによる利便性は実際にはそれ程高くはない、という問題がある。
【０００９】
したがって本発明は、上記問題点に鑑み、実際にユーザが必要とする有用な施設情報に絞ってこれを地図情報と共に表示部に表示することのできるナビゲーション装置を提供することを目的とするものである。
【００１０】
【課題を解決するための手段】
図１は本発明の基本構成を示す図である。
【００１１】
本図において、ナビゲーション装置１は図示する構成要素を備えてなる。このうち、ＣＰＵ部２、施設選択手段３、表示制御手段５および表示部（ディスプレイ）６は、前述した特許文献１〜５においても用いられる構成要素である。したがって、施設特定手段４およびユーザ固有情報記憶手段７が、本発明を特徴づける構成要素である。そしてＣＰＵ部２と、上記手段３，４，７等とにより、プロセッサ８を構成する。
【００１２】
さらに具体的には、本発明のナビゲーション装置１は、少なくとも地図情報Ｍおよび施設情報Ｓ（営業時間や収容可能人数等も含む）を取得してこれらを表示部６に表示する表示制御手段５と、取得したその施設情報Ｓのうち利用可能な施設のみを選択して上記の表示を行わせる施設選択手段３と、を備えるナビゲーション装置である。
【００１３】
かかるナビゲーション装置１において、上記のユーザ固有情報記憶手段７は、施設に関連したユーザの嗜好あるいは特性についてのユーザ固有情報を保持する。
【００１４】
また上記の施設特定手段４は、施設選択手段３によってある施設が選択されたとき、その施設に関連してそのユーザ固有情報記憶手段７から読み出された上記のユーザ固有情報も満足する施設を、上述した利用可能な施設として特定する。
【００１５】
この場合、上記のユーザ固有情報には、上述した「嗜好」としての好みのジャンルと、上述した「特性」としてのジャンル毎の滞在時間と、を含む。ジャンルとは、例えばレジャーや食事（レストラン）などのことである。レジャーとは、例えばボーリング、遊園地、映画等のことであり、また、食事（レストラン）とは、例えば日本料理、フランス料理、中華料理等のことである。
【００１６】
一方、ジャンル毎の滞在時間とは、上記のレジャーや食事（レストラン）に各ユーザが必要とする利用時間のことである。例えば上記ボーリングについて、あるユーザは１時間を必要とし、またあるユーザは２時間を必要とするであろう。また例えば上記食事（レストラン）について、簡単なそば類ならば２０分、本格的なフランス料理のコースならば１時間半を必要とするであろう。
【００１７】
上記ユーザ固有情報としては、さらに、年齢、性別、施設を利用する人数等を加えても良い。そうすれば、さらに各ユーザに適合した有用な施設を特定することができる。
【００１８】
かかるユーザ固有情報を記憶しておくための上記の手段７は、図１に示すとおり当該ナビゲーション装置１内に設けても良いし、あるいは外部の情報配信センタ内や家庭用ＰＣ、または記録媒体等に設けることもできる。いずれの場合も、ユーザ側から当該情報を予め登録しておく必要がある。この登録が済むと、後者の場合は、その情報配信センタ等から、通信回線を経由する等してその情報を取得し、上記ユーザ固有情報記憶手段７内に取り込む。
【００１９】
かくして、施設選択手段３から取り出される各種施設のうち、さらに当該ユーザの好みや所要の条件に適合した施設情報をこのユーザに示すことができる。したがって、目標とする施設の最終決定までをほぼ装置任せにすることができ、快適なナビゲーションが実現される。
【００２０】
【発明の実施の形態】
図２は本発明に係るナビゲーション装置の具体例を示す図である。なお全図を通じて同様の構成要素には同一の参照番号または記号を付して示す。
【００２１】
したがって前述した図１における構成要素は、図２において参照番号１〜８として示されている。このうち表示制御部５は、図２においてさらに詳しく、表示コントローラ１１、グラフィックコントローラ１２およびグラフィックメモリ１３として示されている。
【００２２】
以上の構成要素は共有バス１４を介して相互に連携し、この共通バス１４には、入力装置１５およびインターフェース１６が接続する。入力装置１５はユーザからの操作指令を入力するものであり、キーボードあるいはＧＵＩである。またインターフェース１６は、自車現在地の特定のために必要なＧＰＳ装置１７やジャイロなどの各種センサ１８と接続すると共に、前述した外部の情報配信センタ２３と、通信回線２４を介して、通信を行うための受信機２１および送信機２２の対にも接続する。前述した地図情報Ｍや施設情報Ｓなどは、当該車両内に予め保有していても良いし、あるいは、その情報配信センタ２３との通信によって取得しても良い。
【００２３】
図３は本発明に基づく一動作例を表すフローチャートである。
【００２４】
ステップＳ１１：自車の現在位置をＧＰＳ１７等により取得し、表示部６内の地図情報に重ねて表示する。
【００２５】
ステップＳ１２：上記現在位置周辺での上述した施設情報Ｓを取得する。これは情報配信センタ２３から通信により取得することもできる。その取得した施設情報Ｓには、現在位置周辺における施設の位置、その営業時間、そのジャンル等が含まれる。
【００２６】
ステップＳ１３：上記の施設に到着できる時刻を算出する。これは、図１および図２の演算手段９において算出することができる。
【００２７】
ステップＳ１４：上記の算出による到着時刻は当該施設の営業時間内か否か判定する。営業時間外ならば、上記ステップＳ１１に戻る。
【００２８】
ステップＳ１５：上記の算出による到着時刻が当該施設の営業時間内であるならば、ここで前述のユーザ固有情報を記憶手段７より取得する。
【００２９】
ステップＳ１６：当該施設が、ユーザ固有情報に示されるユーザの好みのジャンルと一致するか否か判定する。一致しなければ、また車を走らせた後、ステップＳ１１に戻る。
【００３０】
ステップＳ１７：ユーザの好みのジャンルと一致すれば、当該施設を利用する上での該ユーザの滞在時間（例えば食事にかける時間）を上記記憶手段７に取得し、この滞在時間をも加味した上で、その施設の営業時間内か否か判断する。この判断は上記演算手段９にて行うことができる。もし営業時間から外れてしまうようであれば、上記ステップＳ１１に戻る。
【００３１】
ステップＳ１８：上記の判断により営業時間内であるとされれば、ここで、当該施設がユーザにとって有効なものとして特定し、表示部６にその施設を表示する。
【００３２】
上記ステップＳ１４でＹＥＳとなった施設と、さらに上記ステップＳ１７でＹＥＳとなった施設とを、両者を区別しつつ、表示部６に表示するようにしても良い。
【００３３】
すなわち表示制御手段５は、施設選択手段３によって選択された施設を、施設特定手段４によって特定された施設と、特定されなかった施設とに区別して、例えばトーンダウンして表示するようにしても良い。このようにすれば、特定されなかった施設を表示部６において全く非表示とするよりも、ユーザによる選択の幅が広がる。例えば遠出をしたような場合には、本来はユーザの好みでないジャンルであってもその土地に特有の興味あるめずらしい施設に出会う可能性が広がる。
【００３４】
図４は図３による結果として複数候補が現れたときの処理例を示すフローチャートである。
【００３５】
ステップＳ２１：図３のステップＳ１８と同じであるが、複数の候補が選択されている。
【００３６】
ステップＳ２２：表示部６に表示可能な複数の施設の中で、各々に優先順位付けを行う。この優先順位も、ユーザ固有情報の中の１つとして記憶手段７に登録しておく。
【００３７】
ステップＳ２３：上記の優先順位に従った番号等を各施設に沿わせて表示部６上に表示する。さらにユーザは最も高い優先順位にある施設を選択する。
【００３８】
さらに詳しくは次のとおりである。
【００３９】
（ｉ）ユーザの好みのジャンルが複数あるとき、各ジャンルに対する好みの程度に応じた優先順位を予め設定しておき、記憶手段７に登録しておく。そして、施設特定手段４により特定された施設が２以上あるときには、表示制御手段５は、その優先順位に従って各施設に番号付けした表示を行うようにする。
【００４０】
（ｉｉ）ジャンル毎の滞在時間（例えば、食事ならば、日本料理にかける時間やフランス料理にかける時間等）に、その長短に応じた優先順位を予め設定しておき、記憶手段７に登録しておく。このように滞在時間に基づき優先順位を設定すると、例えば滞在時間が短いものを優先付ければ、訪問先でゆとりをもって行動することができる等ユーザに時間的余裕をもたせることができる。そして、施設特定手段４により特定された施設が２以上あるとき、表示制御手段は、当該ジャンルの滞在時間に基づく優先順位に従って各該施設に番号付けした表示を行うようにする。
【００４１】
（ｉｉｉ）外部の情報配信センタ２３から配信される最新情報を取得し、各ジャンルに対する好みの程度に応じた優先順位を、その最新情報に基づく順位も加味して設定するようにする。
【００４２】
例えば、最近の人気ランキングを上記最新情報として情報配信センタ２３に収集しておき、ユーザが予め定めた各ジャンルについての優先順位に対して、さらにその人気ランキングによる重み付けを加える。このような最新情報は他にも種々ある。例えば同じジャンルの施設（店）であっても、最近開店したばかりの店に対してはより高い優先順位を与えるようにしておくのが良い。
【００４３】
上記の優先順位について、何をその順位の対象にすべきかについては、上述の（ｉ）〜（ｉｉｉ）の他にもある。例えば、現在位置から「早く到着する順位」といったものもある。かかるナビゲーション装置にあっては、当該車両の現在位置情報をもとに、施設特定手段４により特定された施設への到着時刻を演算する演算手段９を備え、その特定された施設が２以上あるとき、表示制御手段５は、早く到着する順位に従ってこれらの各施設に番号付けした表示を行うようにする。
【００４４】
これによりユーザは、あれこれ迷うことなく、自分に最適な目標を装置側から自動的に指示される。
【００４５】
【発明の効果】
以上説明したように本発明によれば、ユーザの嗜好等までも考慮に入れた、ユーザにとって実際に有効な情報を、ナビゲーション装置側から提供することができる。したがって、例えば車両の運転中であっても、ユーザは目標施設の決定に煩わされることはなく、安全運行上においても有利である。
【図面の簡単な説明】
【図１】本発明の基本構成を示す図である。
【図２】本発明に係るナビゲーション装置の具体例を示す図である。
【図３】本発明に基づく一動作例を表すフローチャートである。
【図４】図３による結果として複数候補が現れたときの処理例を示すフローチャートである。
【符号の説明】
１…ナビゲーション装置
２…ＣＰＵ部
３…施設選択手段
４…施設特定手段
５…表示制御手段
６…表示部（ディスプレイ）
７…ユーザ固有情報記憶手段
８…プロセッサ
９…演算手段
１５…入力装置
２３…情報配信センタ
【図１】
2004340875.tif 000003
【図２】
2004340875.tif 000004
【図３】
2004340875.tif 000005
【図４】
2004340875.tif 000006